(57)【特許請求の範囲】
【請求項１】
シャッターカーテンを左右のガイドレールにより昇降ガイドするとともに、スイッチボックスの前面に設けた操作部の操作によりシャッターカーテンの昇降作動を制御させるようにした電動シャッター用スイッチボックスの取付構造において、
前記ガイドレールの少なくとも一方を、シャッターカーテンを昇降ガイドするガイド部と前記スイッチボックスが取り付け保持される取付部とが一体的に形成された複合ガイドレールにより構成し、
前記複合ガイドレールの前記取付部には、取り付け保持状態とした前記スイッチボックスが、スイッチボックスの前面操作部を前方側として嵌合保持される開口部が形成されており、
前記複合ガイドレールは、前記ガイド部と前記取付部とが断面略Ｌ字型に一体的に形成され、ガイド部は、シャッターが取り付けられる建造物開口部の内側壁部に設けられるとともに、ガイド部の外壁面には上下方向に全通してシャッターカーテンを昇降ガイドするガイド溝が形成され、取付部は、シャッターが取り付けられる建造物開口部周囲の壁面部に設けられるととともに、取付部に形成された前記開口部に前記スイッチボックスが嵌合保持され、スイッチボックスは、その前記前面操作部が取付部の前面に表出された状態で、取付部背部のスイッチボックス収納部において取付部に固定されていることを特徴とするシャッター用スイッチボックスの取付構造。
【請求項２】
前記複合ガイドレールの前記スイッチボックス収容部の前面に、スイッチボックスが嵌合保持される前記開口部を形成するとともに、収容部の内側には開口部の両側に沿って１対の前ガイドリブを縦設し、かつ前ガイドリブと所要の前後隙間を開けて収容部の両側壁内側に１対の後ガイドリブを縦設する一方、スイッチボックスの外周壁部には、前ガイドリブに当接することにより、スイッチボックスを開口部に嵌合した状態でスイッチボックスの前面操作部が複合ガイドレールの表面側に表出されるべく位置決めする係合部を設け、スイッチボックスの上下端面の少なくとも一方の面にはスイッチボックスの上下面の少なくとも一方の面に固定自在とした押え板を配置し、押え板の前縁部には前後ガイドリブ間に差込まれる差込み片を立ち上げ形成した形状であり、
前記スイッチボックスの開口部に対する嵌め付け後、差込み片の両側を前後ガイドリブ間に挟み込んだ状態で押え板をスイッチボックスの上下面の少なくとも一方の面に固定することにより、スイッチボックスを複合ガイドレールに固定することを特徴とする請求項１に記載のシャッター用スイッチボックスの取付構造。
【請求項３】
前記押え板の差込み片の幅寸法は、前記収容部の内のり寸法より短く設定され、傾斜回動させつつその両側が前記前後ガイドリブ間に差込み可能としたことを特徴とする請求項２に記載のシャッター用スイッチボックスの取付構造。
【請求項４】
請求項１乃至３のいずれかに記載のシャッター用スイッチボックスの取付構造に用いる複合ガイドレールにおいて、金属又はプラスチックの押出一体成形により前記ガイド部と前記取付部とが断面略Ｌ字型に一体的に形成され、ガイド部の外壁面には上下方向に全通してシャッターカーテンを昇降ガイドするガイド溝が形成され、取付部には、前記スイッチボックスの少なくとも前部が嵌合される開口部が形成されていることを特徴とする複合ガイドレール。
【発明の詳細な説明】
【技術分野】
【０００１】
本発明は、シャッター用スイッチボックスの取付構造と該構造に用いられる複合ガイドレールに関し、特に、スイッチボックスの取り付け性の向上を図った構造に関する。
【背景技術】
【０００２】
下記特許文献１にも示されるように、一般に、電動式シャッター装置におけるシャッターの開閉操作用のスイッチボックスは、シャッターが取り付けられる建造物開口部周囲の壁部に取付けられるものであり、従来では、ビス止めにより壁部に固定していた。
【先行技術文献】
【特許文献】
【０００３】
【特許文献１】特開２００３−３５０７８号公報
【発明の概要】
【発明が解決しようとする課題】
【０００４】
しかし、この取付構造にあっては、壁部の表面に取り付け用ビスの頭が露出した状態となるので、意匠上、その見栄えが低下し、外部からビスを取り外してスイッチボックスを取り外せるため、スイッチボックスの取り付け安全性の面でも問題があった。
さらに、スイッチボックスの位置を現場で定めて取り付け施工する必要があり、その位置決め、取り付け工事も面倒であった。
【０００５】
本発明は、以上の課題を解決するためになされたものであり、ビス頭などの壁部表面からの突出をなくし、意匠性と取り付け安全性の向上を図るようにし、さらに、その取り付け施工性を向上させるようにしたシャッター用スイッチボックスの取付構造と該構造に用いる複合ガイドレールを提供するものである。
【課題を解決するための手段】
【０００６】
前記目的を達成するため、請求項１の発明は、シャッターカーテン４を左右のガイドレールにより昇降ガイドするとともに、スイッチボックス５の前面に設けた操作部の操作によりシャッターカーテン４の昇降作動を制御させるようにした電動シャッター用スイッチボックスの取付構造において、前記ガイドレールの少なくとも一方を、シャッターカーテン４を昇降ガイドするガイド部３Ａと前記スイッチボックス５が取り付け保持される取付部３Ｂとが一体的に形成された複合ガイドレール３により構成し、前記複合ガイドレール３の前記取付部３Ｂには、取り付け保持状態とした前記スイッチボックス５が、スイッチボックス５の前面操作部を前方側として嵌合保持される開口部２４が形成されていることを特徴とするシャッター用スイッチボックスの取付構造にある。
【０００７】
請求項１の発明は、前記複合ガイドレール３は、前記ガイド部３Ａと前記取付部３Ｂとが断面略Ｌ字型に一体的に形成され、ガイド部３Ａは、シャッターが取り付けられる建造物開口部の内側壁部に設けられるとともに、ガイド部３Ａの外壁面には上下方向に全通してシャッターカーテンを昇降ガイドするガイド溝３ａが形成され、取付部３Ｂは、シャッターが取り付けられる建造物開口部周囲の壁面部に設けられるととともに、取付部３Ｂに形成された前記開口部２４に前記スイッチボックス５が嵌合保持され、スイッチボックス５は、その前記前面操作部が取付部３Ｂの前面に表出された状態で、取付部３Ｂ背部のスイッチボックス収納部３ｃにおいて取付部３Ｂに固定されていることを特徴とする請求項１に記載のシャッター用スイッチボックスの取付構造にある。
【０００８】
請求項２の発明は、前記複合ガイドレール３の前記スイッチボックス収容部３ｃの前面に、スイッチボックス５が嵌合保持される前記開口部２４を形成するとともに、収容部３ｃの内側には開口部２４の両側に沿って１対の前ガイドリブ３ｄ，３ｄを縦設し、かつ前ガイドリブ３ｄ，３ｄと所要の前後隙間を開けて収容部３ｃの両側壁内側に１対の後ガイドリブ３ｅ，３ｅを縦設する一方、スイッチボックス５の外周壁部には、前ガイドリブ３ｄ，３ｄに当接することにより、スイッチボックス５を開口部２４に嵌合した状態でスイッチボックス５の前面操作部が複合ガイドレール３の表面側に表出されるべく位置決めする係合部を設け、スイッチボックス５の上下端面にはスイッチボックス５の上下面に固定自在とした押え板２０を配置し、押え板２０の前縁部には前後ガイドリブ３ｄ，３ｄ、３ｅ，３ｅ間に差込まれる差込み片２０ａを立ち上げ形成し、
前記スイッチボックス５の開口部２４に対する嵌め付け後、差込み片２０ａの両側を前後ガイドリブ間に挟み込んだ状態で押え板２０をスイッチボックス５の上下面に固定することにより、スイッチボックス５を複合ガイドレール３に固定することを特徴とする請求項１に記載のシャッター用スイッチボックスの取付構造にある。
【０００９】
請求項３の発明は、前記押え板２０の差込み片２０ａの幅寸法は、前記収容部３ｃの内のり寸法より短く設定され、傾斜回動させつつその両側が前記前後ガイドリブ間に差込み可能としたことを特徴とする請求項２に記載のシャッター用スイッチボックスの取付構造にある。
【００１０】
上記の取付構造において、スイッチボックス５を取り付けるためには、スイッチボックス５の前部を複合ガイドレール３背部の収容部３ｃから開口部２４に差し込み嵌合し、一般的には、収容部３ｃ内において、スイッチボックス５の後部を複合ガイドレール３に固定させる。このような嵌合固定状態で、複合ガイドレール３をシャッターが取り付けられる建造物開口部の壁面部に取り付け施工させるようにすれば良い。スイッチボックス５をシャッター駆動用のモータ側に電気接続させるためのリード線は、複合ガイドレール３の取付部３Ｂを通って配線させることができる。
【００１１】
上記スイッチボックス５の固定は、上記押え板２０による固定に限定されるものではない。例えば、スイッチボックス５の上下或いは左右の面を押さえるコ形金具により固定させることができる。また、開口部２４の内部の縁部に台板を粘着や溶着或いはビス止めにより設けて、これに、スイッチボックス５を支持させるようにして固定させることができる。さらに、粘着テープ等を用いて固定させることもできる。
上記請求項２又は３の押え板２０は、スイッチボックス５の上下面の少なくともいずれか一方に設けられていれば良い。また、請求項３の係合部による位置決め形状は、実施例のフランジ１４或いは位置決め突起１４ａ、又は、スイッチボックス５の外周壁に段部を形成して係合部とした形状としても良い。
【００１２】
請求項４の発明は、請求項１乃至３のいずれかに記載のシャッター用スイッチボックスの取付構造に用いる複合ガイドレール３において、金属又はプラスチックの押出一体成形により前記ガイド部３Ａと前記取付部３Ｂとが断面略Ｌ字型に一体的に形成され、ガイド部３Ａの外壁面には上下方向に全通してシャッターカーテンを昇降ガイドするガイド溝３ａが形成され、取付部３Ｂには、前記スイッチボックス５の少なくとも前部が嵌合される開口部２４が形成されていることを特徴とする。
【発明の効果】
【００１３】
本発明では、スイッチボックスが、ガイドレールと一体の取付部に形成した開口部に嵌合保持されて取り付けられているため、取付状態においてガタツキがなく、取り付け状態が安定し、また、スイッチボックスは取付部の背部において固定されるため、外部からスイッチボックスが取り外されるということがなく、安全性の点で優れている。さらに、取り付け用ビスの頭がガイドレールの表面に突出して見えるということがないため、悪意のある第三者により行われるいたずらなどの不正行為を防ぐことができ、また、外観の意匠性が向上する。
【００１４】
また、スイッチボックスの取り付け位置がガイドレールと一体の取付部の開口部になり、現場での取り付け位置決めと、取り付け作業が容易となり、さらに、リード線を、ガイドレールと一体の取付部に沿って配線させることができ、その配線作業も容易となる。
【００１５】
請求項３記載の発明では、差込み片をガイドレールの長手方向一端から差込んで移動することなく、取付用開口部の近傍で差込み操作を行うことができるため、取付作業性がよい。
【００１６】
請求項４記載の発明では、本発明に用いる複合ガイドレールの製造が容易になる。
【図面の簡単な説明】
【００１７】
【図１】本発明を適用した電動式シャッターの全体構成を示す一部拡大部分を含む斜視図である。
【図２】図１のＡ−Ａ線で切った複合ガイドレールの拡大断面斜視図である。
【図３】スイッチボックスの各側面図である。
【図４】（ａ），（ｂ）は同スイッチボックスを底面側および上面側から見た斜視図である。
【図５】（ａ），（ｂ）は同スイッチボックスと複合ガイドレールとの取付関係を示す説明用の要部斜視図である。
【図６】（ａ）〜（ｄ）は同取付手順を示す断面図である。
【発明を実施するための形態】
【００１８】
以下、本発明を適用した実施の形態例を図１〜図６を参照して説明する。
図１において、本発明に係る電動式シャッターは、建物壁面に形成された開口部の上縁に水平配置された格納ケース１と、格納ケース１の両側下部にあって、開口部両側に縦設された左右１対のガイドレール２及び複合ガイドレール３とを備えている。格納ケース１内には巻取りシャフトおよびこの巻取りシャフトの一端に接続されてこれを正逆転させる駆動モータ（いずれも図略）を備え、モータの正逆回転駆動、停止に応じてガイドレール２及び複合ガイドレール３に沿ってシャッターカーテン４を昇降、停止させるようになっている。
【００１９】
図に向って左側に位置する一方のガイドレール２には、単なるガイド溝３ａのみが形成されている。これに対し、図の右側に位置する他方の複合ガイドレール３は、外側面にガイド溝３ａを有するガイド部３Ａと、スイッチボックス５が取り付け固定される取付部３Ｂとが、略Ｌ形に、金属又はプラスチックの押出成形により一体に形成されている。複合ガイドレール３は、そのガイド部３Ａがシャッターが取り付けられる建造物開口部の内側壁面に取り付けられ、取付部３Ｂは建造物開口部の周囲の壁面に取り付けられている。
【００２０】
複合ガイドレール３は、アルミ一体の押出し成形体からなるものであって、図２に示すように、シャッターカーテン４と対向するガイド部３Ａの外面には、リップ溝形状をしたガイド溝３ａを形成しているとともに、ガイド溝３ａの内奥部に隔壁３ｂを介して略Ｌ型に形成された取付部３Ｂの内面には、前記スイッチボックス５の収容部３ｃを形成し、この収容部３ｃの前面内側には、前記スイッチボックス５の取付位置決めするための１対の前ガイドリブ３ｄが押出し方向に沿って一体に縦設されており、また隔壁３ｂの収容部３ｃ側の面と、外壁の内側にはそれぞれ、１対の後ガイドリブ３ｅが押出し方向に沿って一体に縦設されている。
【００２１】
図３，４において、スイッチボックス５は、略矩形箱型に構成され、その表面の操作部には、上昇ボタン１０ａ，停止ボタン１０ｂ，下降ボタン１０ｃの３つの押ボタンが設けられ、それぞれのボタン操作によりシャッターカーテン４の上昇、停止、下降を可能としている。スイッチボックス５は、その前面の操作部に前記各押ボタン１０ａ，１０ｂ，１０ｃを突設した合成樹脂製の前ケース１０と、前ケース１０の背面に４つのビスＢを介して一体的に固定された合成樹脂製の後ケース１２と、後ケース１２の長手方向両側に一体に突設された左右一対のフランジ１４と、後部ケースの背面に導出された複数のリード線１６を備えている。
【００２２】
各押ボタン１０ａ，１０ｂ，１０ｃの表面には、それぞれ上昇、停止、下降を表示するためのマークが刻印されているとともに、各押ボタン１０ａ．１０ｂ，１０ｃの側面において前ケース１０の表面には押ボタン１０ａ，１０ｂ，１０ｃの側面対応位置にそれぞれ「開」、「停」、「閉」なる文字が刻印され、押ボタン操作に対する一目瞭然性を確保できるようにしている。
【００２３】
また、各リード線１６は、前記格納ケース１内の内に配置された駆動モータおよび電源に接続されるものであり、それぞれ赤、青、白、黒、緑の各色別に着色されている。この各色に対応して後ケース１２の表面には、図３の一部に拡大して示すように、各リード線１６の色と、押ボタン１０ａ，１０ｂ，１０ｃに対応するケース１０，１２内部のスイッチング回路を表示するための回路を刻印によって表示している。
【００２４】
さらに、前記フランジ１４上には、前記前ガイドリブ３ｄに突き当てられることにより、複合ガイドレール３の取付部３Ｂの外面に面一に位置決めするための複数の位置決め突起１４ａが突設されている。後ケース１２の前後（上下）端面には、スイッチボックス３を収容部３ｃ内に固定するための押さえ板２０（図５，６参照）に固定用のビス固定具Ｂを介して連結するためのビス孔１８が形成されている。
【００２５】
押さえ板２０は、金属プレス成形体からなり、図５，６に示すように、その板厚は前後ガイドリブ３ｄ，３ｅ間の隙間間隔に等しいか小さい厚みであって、前記ビス孔１８に一致するビス挿通孔２２を形成するとともに、押さえ板２０の前縁には略Ｌ字形に折曲形成された左右方向に長い差込み片２０ａを設けている。この差込み片２０ａの長さは収容部３ｃの内のり寸法よりやや短めにできている。
【００２６】
次に以上のスイッチボックス５の複合ガイドレール３に対する取付手順を主として図５，６を用いて説明する。まず複合ガイドレール３立設状態で人の手の触れる高さ位置（図１参照）であって、収容部３の内側に形成された位置決めリブ３ｄの間に、予め図５（ａ）に示すように、切抜きにより前記外ケース１０と縦横寸法にほぼ一致する縦横寸法の長方形の開口部２４を形成しておく。
【００２７】
スイッチボックス５の組付けに当っては、１対の押え板２０および固定具Ｂを用意しておき、最初に、図６（ａ）の矢印に示すごとく、収容部３ｃ内に突出する各出っ張りとの干渉を避けつつスイッチボックス５を回動操作して開口部２４に向けて前部ケース１０を嵌め付ける。嵌め付け状態では図６（ｂ）に示すように、フランジ１４に位置決め突起１４ａが位置決めリブ３ｄに突き当てられることにより、前部ケース１０の表面と複合ガイドレール３の表面が面一状態でスイッチボックス５は開口部２４に嵌め付けられ、押ボタン１０ａ，１０ｂ，１０ｃのみが複合ガイドレール３の前面に突出するだけとなる。但し、この状態では前後方向の固定はなされない。
【００２８】
次に、押え板２０をスイッチボックス５の上下に取付ける。取付にあたっては、図６（ｃ）の矢印に示す示すごとく、収容部３ｃ内に突出する各出っ張りとの干渉を避けつつ差込み片２０ａを傾けながら、その両側を位置決めリブ３ｄ，３ｅの隙間に差込む。次いで押え板２０の左右方向を調整してスイッチボックス５側のビス孔１８にビス挿通孔２２を一致させ、固定具Ｂをねじ込む。この取付操作を上下２箇所で行えば、スイッチボックス５は図５（ｂ），図６（ｄ）に示すようにスイッチボックス５の固定作業が完了する。なお、リード線１６は、複合ガイドレール３の収容部３ｃ内を這い回して駆動モータ、電源などに接続すればよい。
【００２９】
スイッチボックス５の取付完了状態では、前ケース１０の表面は、複合ガイドレール３の前面に完全一致し、かつ、取付用ビスなどの突出物がなく、見栄えが向上することになる。
【００３０】
スイッチボックス５と押え板２０との固定は、位置決めリブ３ｄ，３ｃの隙間と押え板２０の差込み片２０ａの厚さに余裕を持たせ、押え板２０のビス挿通孔２２を後方に若干ずらし、取り付け時には押え板２０を上方向に持ち上げて差込み片２０ａの両端をリブ３ｅに当接させて押し付け、ビス孔１８にビス挿通孔２２を一致させた後に固定具Ｂで固定させるようにしても良い。
【００３１】
なお、図１において、シャッターカーテンとして、多数のスラットを上下方向に縦列したスラットカーテンとしているが、シート状シャッター、パイプ式カーテンなど開閉体一般に適用できることは勿論である。
【符号の説明】
【００３２】
１  格納ケース
２  ガイドレール
３  複合ガイドレール、３Ａ  ガイド部、３Ｂ  取付部
３ａ  ガイド溝、３ｂ  隔壁、３ｃ  スイッチボックス収容部
３ｄ  前ガイドリブ、３ｅ  後ガイドリブ
４  シャッターカーテン
５  スイッチボックス
１０  前ケース
１２  後ケース
１４  フランジ
１４ａ  位置決め突起
１６  リード線
１８  ビス孔
２０  押え板
２０ａ  差込み片
２２  ビス挿通孔
２４  開口部
Ｂ    固定具
【図１】
0005410222.tif 000002
【図２】
0005410222.tif 000003
【図３】
0005410222.tif 000004
【図４】
0005410222.tif 000005
【図５】
0005410222.tif 000006
【図６】
0005410222.tif 000007